(57)【要約】      （修正有）【課題】緊急状況の類別及び発生の階層または区域を表示して、人々に警告しつつ安全に導引する緊急状況警報装置を提供する。【解決手段】少なくとも１つのセンサモジュール、制御モジュール、少なくとも１つのディスプレイユニットを含み、前記センサモジュールにより火災や緊急状況の状況を検知した後、信号を前記制御モジュールに送信し、同時に前記制御モジュールが制御信号を各階層または区域に設置された前記ディスプレイユニットに送信し、前記ディスプレイユニットにより建築物内で発生している火災や緊急状況の類別及び発生階層または区域を表示する。【選択図】図１
0003147035.tif 000002
【実用新案登録請求の範囲】
【請求項１】
各階層または区域の非常口または避難経路の場所に設置され、火災や緊急状況が発生している階層または区域、及び緊急状況の種類を表示する少なくとも１つのディスプレイユニットと、
各階層または区域に設置された少なくとも１つのセンサモジュールと、
各階層または区域の前記センサモジュールの検知信号を受信し、かつ前記ディスプレイユニットを制御するために用いられる制御モジュールを含み、
各階層または区域に設置された前記センサモジュールにより前記制御モジュールに検知信号を送信し、かつ前記制御モジュールが制御信号により各階層または区域の前記ディスプレイユニットを制御し、
火災または緊急状況の発生時において、人々に警告および導引して当該階層または区域を離れて避難できるように、火災や緊急状況の階層、または区域及び緊急状況の種類を前記ディスプレイユニットに表示することを特徴とする、
緊急状況警報装置。
【請求項２】
さらに通信モジュールが付設され、火災や緊急状況の発生時に、制御モジュールが前記通信モジュールに火災または緊急状況信号を送信して、前記通信モジュールにあらかじめ設定された少なくとも一組以上の個人の携帯電話番号または固定電話番号、或いはその他通信器材に自動的に電話をかけ、火災または緊急状況の警告情報を発することを特徴とする、請求項１に記載の緊急状況警報装置。
【請求項３】
前記ディスプレイユニットが数字または文字で火災または緊急状況の発生階層または区域を表示することを特徴とする、請求項１に記載の緊急状況警報装置。
【請求項４】
前記ディスプレイユニットが、図案で発生した緊急状況の種類を表示することを特徴とする、請求項１に記載の緊急状況警報装置。
【請求項５】
前記センサモジュールが、少なくとも温度センサ装置、煙霧センサ装置または気体センサ装置等のうちのいずれかのセンサが設けられたことを特徴とする、請求項１に記載の緊急状況警報装置。
【請求項６】
各階層または区域に設置された前記センサモジュールに、当該区域に基づき番号を割り当て、火災や緊急状況の発生時、前記ディスプレイユニットが当該区域のコード、番号または種類を表示することを特徴とする、請求項１に記載の緊急状況警報装置。
【請求項７】
前記通信モジュールがさらに音声信号をエレベーター、各階層または指定区域内に発し、放送方式で警告情報を発することを特徴とする、請求項５に記載の緊急状況警報装置。
【考案の詳細な説明】
【技術分野】
【０００１】
本考案は緊急状況警報装置に関し、特に、センサモジュールで火災または緊急状況の発生を検知した後、ディスプレイユニットで火災または緊急状況の発生階層または区域を表示し、警告の目的を達する、緊急状況警報装置に関するものである。
【背景技術】
【０００２】
人口の急速な増加と密集に伴い、建築物の建造速度も増加しており、且つ利用可能な空間を増加するため、建築物の高さも増し続けている。
地震またはその他の自然災害を除き、特に人口が最も密集している都市部または地区では、時折火災が発生するため、火災による死者を減らすためには、建築物の火災の予防と防止が非常に重要である。
一般的なビルの火災警報システムは、火災発生時に煙霧センサまたは温度センサ装置で火災の状況の発生を検知した後、火災警告信号を受信ホストに送り、受信ホストが警報を鳴らして警告の目的を達する。
また、別のタイプのものには受動式警報システムがあるが、これは火災発生時、人が火災警報システムを作動させ、警報に区域的な連動作動をさせて火災の警告の目的を達している。
しかしながら、火災発生時、一般に人の正常な反応は通常非常口に向かって移動してその建築物または区域から離脱しようとするが、警報はその建築物または区域での火災発生を警告するだけであり、避難動線や非難方向の導引と指示の機能はない。
そのために、往々にして避難する人々は混乱する状況下で、かつ視界が悪い状況下に身を置くため、逆に火災が発生している階層や区域の方向に向かって移動する場合がある。
その結果、不必要なケガ人や死亡者が発生することがあるため、このような従来の火災警報システムは改善する必要がある。
【０００３】
このため、いかに上述した問題を排除するかが本考案の解決すべき技術的課題である。
【考案の開示】
【考案が解決しようとする課題】
【０００４】
本考案は上述した欠点に鑑みて成されたものであり、本考案は関連資料を収集し、多方面での評価と考慮を経て、かつ関連産業に従事した長年の経験に基づき、試作と修正を重ね、遂にセンサモジュールにより火災または緊急状況の発生を検知した後、ディスプレイユニットで緊急状況の類別及び発生の階層または区域を表示する考案の想到に至ったものものである。
【０００５】
本考案の主な目的は、センサモジュール、制御モジュール、ディスプレイユニットを含み、前記センサモジュールが各階層の異なる区域に設置され、当該範囲内の状況を検知し、前記ディスプレイユニットが非常口、避難経路または目に付きやすい場所に場所に設置され、火災または緊急状況の発生時、センサモジュールにより火災の発生または緊急状況の類別及び発生の階層または区域を検知した信号を前記制御モジュールに送信し、同時に該制御モジュールが制御信号を各階層または区域の前記ディスプレイユニットに送信し、該ディスプレイユニットが数字、文字または符号で火災の発生または緊急状況の類別及び発生の階層または区域を表示し、警報の目的を達する、緊急状況警報装置を提供することにある。
【０００６】
本考案の別の目的は、前記制御モジュールに別途通信モジュールが接続され、該制御モジュールが前記センサモジュールから送信された信号を受信した後、同時に前記通信モジュールに制御信号を発し、該通信モジュールがあらかじめ設定された少なくとも一組以上の個人の携帯電話番号または固定電話番号或いはその他通信器材に自動的に電話をかけ、火災または緊急状況の警告情報を発する、緊急状況警報装置を提供することにある。
【０００７】
本考案のさらに別の目的は、前記センサモジュールにその設置区域に基づいて番号割り当てを行うことができ、火災または緊急状況の発生時、ディスプレイユニットで火災または緊急状況発生の階層を表示するほか、当該区域の番号及び図案または符号によりその緊急状況の類別を表示し、避難者が火災または緊急状況発生の正確な位置をより確実に知ることができ、適切な措置を採ることができる、緊急状況警報装置を提供することにある。
【課題を解決するための手段】
【０００８】
本考案の緊急状況警報装置は、主に少なくとも１つのセンサモジュール、制御モジュール、少なくとも１つのディスプレイユニットを含み、前記センサモジュールにより火災や緊急状況の状況を検知した後、信号を前記制御モジュールに送信し、同時に前記制御モジュールが制御信号を各階層または区域に設置された前記ディスプレイユニットに送信し、前記ディスプレイユニットにより建築物内で発生している火災や緊急状況の類別及び発生階層または区域を表示し、警報と導引の機能を達する。
すなわち、本願の第１の考案は、主に、各階層または区域の非常口または避難経路の場所に設置され、火災や緊急状況が発生している階層または区域、及び緊急状況の種類を表示する少なくとも１つのディスプレイユニットと、各階層または区域に設置された少なくとも１つのセンサモジュールと、各階層または区域の前記センサモジュールの検知信号を受信し、かつ前記ディスプレイユニットを制御するために用いられる制御モジュールを含み、主に各階層または区域に設置された前記センサモジュールにより前記制御モジュールに検知信号を送信し、かつ前記制御モジュールが制御信号により各階層または区域の前記ディスプレイユニットを制御し、前記ディスプレイユニットにより発生している火災や緊急状況の階層または区域及び緊急状況の種類を表示して、避難者が当該階層または区域を離れ、避難できるようにし、火災または緊急状況の発生時における人々に対する警告と導引の目的を達することを特徴とする、緊急状況警報装置を提供する。
本願の第２の考案は、さらに通信モジュールが設けられ、火災や緊急状況の発生時に、前記制御モジュールが前記通信モジュールに火災または緊急状況信号を送信し、前記通信モジュールがあらかじめ設定された少なくとも一組以上の個人の携帯電話番号または固定電話番号、或いはその他通信器材に自動的に電話をかけ、火災または緊急状況の警告情報を発することを特徴とする、前記第１の考案の緊急状況警報装置を提供する。
本願の第３の考案は、前記ディスプレイユニットが数字または文字で火災または緊急状況の発生階層または区域を表示することを特徴とする、前記第１の考案の緊急状況警報装置を提供する。
本願の第４の考案は、前記ディスプレイユニットが、図案で発生した緊急状況の種類を表示することを特徴とする、前記第１の考案の緊急状況警報装置を提供する。
本願の第５の考案は、前記センサモジュールが少なくとも温度センサ装置、煙霧センサ装置または気体センサ装置等のうちのいずれかのセンサが設けられたことを特徴とする、前記第１の考案の緊急状況警報装置を提供する。
本願の第６の考案は、各階層または区域に設置された前記センサモジュールに、当該区域に基づき番号を割り当てることができ、火災や緊急状況の発生時、前記ディスプレイユニットが当該区域のコード、番号または種類を表示することを特徴とする、前記第１の考案の緊急状況警報装置を提供する。
本願の第７の考案は、前記通信モジュールがさらに音声信号をエレベーター、各階層または指定区域内に発し、放送方式で警告情報を発することを特徴とする、前記第５の考案の緊急状況警報装置を提供する。
【考案を実施するための最良の形態】
【０００９】
以下、図面を参照しながら本考案に係る緊急状況警報装置の最良の形態について詳細に説明する。
【００１０】
図１に本考案に係る緊急状況警報装置の立体外観図を示す。
この図からはっきりと分かるように、緊急状況警報装置は主に少なくとも１つのセンサモジュール１０、制御モジュール２０、少なくとも１つのディスプレイユニット３０から構成される。
そのうち、前記センサモジュール１０とディスプレイユニット３０が各階層または指定の区域中に設置される。
前記センサモジュール１０は少なくとも温度センサ装置、煙霧センサ装置または気体センサ装置等のうちのいずれかのセンサが設けられる。
前記ディスプレイユニット３０は数字、文字または符号方式で表示することができる。
緊急状況警報装置は、前記センサモジュール１０により火災の発生または緊急状況の類別及び発生の階層または区域を検知し、かつ信号を前記制御モジュール２０に送信し、該制御モジュール２０により前記ディスプレイユニット３０を制御して火災または緊急状況の発生した階層または区域を表示する。
これにより、火災または緊急状況が発生したとき、前記ディスプレイユニット３０の表示を利用し、当該階層または区域から便利に離脱または避難することができ、警報の目的を達することができる。
［実施例１］
【００１１】
図２、図３、図４、図５に本考案の最良の実施例図を示す（同時に図１も参照する）。
これらの図からはっきりと分かるように、前記センサモジュール１０が各階層または区域に設置され、当該範囲内で発生した火災または緊急状況を検知する。
前記ディスプレイユニット３０が各階層の避難経路、非常口または目に付きやすい位置に設置される。
火災または緊急状況の発生を検知するセンサモジュール１０としては、例えば温度センサ装置、煙霧センサ装置または気体センサ装置等のうちの一種類のセンサを使用することができる。
センサモジュール１０は当該区域内の温度、煙霧濃度または空気中的一酸化炭素、ガスの異常を検知すると、信号を制御モジュール２０に送信して、該制御モジュール２０に火災または緊急状況の発生した階層または区域を知らせる。
このとき、該制御モジュール２０は同時に制御信号を各階層に設置されたディスプレイユニット３０に送信し、かつ該ディスプレイユニット３０により数字または文字で現在火災が発生している階層を表示して避難者が該ディスプレイユニット３０の表示により現在の火災または緊急状況発生階層または区域を知ることができる。
人々がその階層にいる場合、ディスプレイユニット３０の表示によりすぐにその階層から避難することができ、またその他の階層にいる人々は、ディスプレイユニット３０の表示により、避難時に火災または緊急状況の発生している階層または区域から離れることができる。
そのため、あわてて避難する場合のように、逆に火災または緊急状況の発生している階層または区域に向かって移動してしまうようなことがなく、ケガ人や死亡者を減らすことができる。
［実施例２］
【００１２】
図６と図７に本考案の別の実施例図を示す。
これらの図からはっきりと分かるように、そのうち各階層に設置されたセンサモジュール１０は区域的な番号割り当てを行うことができる。
火災発生時、ディスプレイユニット３０は火災の発生している階層または区域を表示することができるだけでなく、数字または文字で火災または緊急状況を検知したセンサモジュール１０の区域番号を表示し、かつ図案や符号でその緊急状況の種類を表示して、避難者に火災または緊急状況発生の正確な位置と緊急状況の種類をより確実に知らせることができる。
避難者は当該階層及び当該区域を離れ、適切な措置を採ることができる。
［実施例３］
【００１３】
図８に本考案のさらに別の実施例図を示す（同時に図２も参照する）。
この図からはっきりと分かるように、制御モジュール２０はさらに通信モジュール４０が接続される。
火災または事故の発生時、センサモジュール１０により当該区域内の温度、煙霧濃度、または空気中の一酸化炭素、ガスの異常或いはその他有毒気体を検知すると、この信号を制御モジュール２０に送信し、該制御モジュール２０に火災または緊急状況の階層、区域と緊急状況の種類を知らせる。
且つ該制御モジュール２０が制御信号を各階層または区域のディスプレイユニット３０に送信し、該ディスプレイユニット３０により現在の火災または緊急状況の発生階層を表示させる。
これと同時に、制御モジュール２０は該通信モジュール４０に信号を送信する。
該通信モジュール４０はあらかじめ設定された少なくとも１つ以上の携帯電話番号または固定電話番号、或いはその他通信器材に自動的に電話をかけ、当該ビル、区域または外界に火災または緊急状況の警告情報を発する。
また、該通信モジュール４０は別途音声信号をエレベーター、各階層または指定区域内に発し、音声放送方式で警告情報を発することもできる。
【図面の簡単な説明】
【００１４】
【図１】本考案の緊急状況警報装置の立体外観図である。
【図２】本考案の最良の実施例図１である。
【図３】本考案の最良の実施例図２である。
【図４】本考案の最良の実施例図３である。
【図５】本考案の最良の実施例図４である。
【図６】本考案の別の実施例図１である。
【図７】本考案の別の実施例図２である。
【図８】本考案の別の実施例図３である。
【符号の説明】
【００１５】
１０      センサモジュール
２０      制御モジュール
３０      ディスプレイユニット
４０      通信モジュール
【図１】
0003147035.tif 000003
【図２】
0003147035.tif 000004
【図３】
0003147035.tif 000005
【図４】
0003147035.tif 000006
【図５】
0003147035.tif 000007
【図６】
0003147035.tif 000008
【図７】
0003147035.tif 000009
【図８】
0003147035.tif 000010